(57)【特許請求の範囲】
【請求項１】
軸を有する回転子と、前記回転子が配置される多数の鉄心を積層した固定子と、前記固定子のスロットに挿入されると共に、巻回されたコイルと、前記コイルに接続されるコンデンサと、前記コイルの口出し線と外部電線とを接続する端子と、前記コイルの天面上に固定された端子台とを有するコンデンサ内蔵型電動機であって、前記端子台は、前記コンデンサと、前記端子、口出し線、外部電線を収納するリング状の凹部を有し、
リング状の凹部は、並設される第１の凹部と第２の凹部とを有し、前記第１の凹部にはコイルの口出し線と外部電線とを接続する端子を有し、前記第２の凹部にはコンデンサを収納することを特徴とするコンデンサ内蔵型電動機。
【請求項２】
第１の凹部が第２の凹部よりも内側であることを特徴とする請求項１に記載のコンデンサ内蔵型電動機。
【請求項３】
リング状のコンデンサからなることを特徴とする請求項１乃至請求項２いずれか記載のコンデンサ内蔵型電動機。
【請求項４】
複数の扇型のコンデンサからなることを特徴とする請求項１乃至請求項２いずれか記載のコンデンサ内蔵型電動機。
【請求項５】
軸を有する回転子と、前記回転子が配置される多数の鉄心を積層した固定子と、前記固定子のスロットに挿入されると共に、巻回されたコイルと、前記コイルに接続されるコンデンサと、前記コイルの口出し線と外部電線とを接続する端子と、前記コイルの天面上に固定された端子台とを有するコンデンサ内蔵型電動機であって、前記端子台は、前記コンデンサと、前記端子、口出し線、外部電線を収納するリング状の凹部を有し、
リング状の凹部は、略Ｈ形状であり、前記略Ｈ形状の上側の上側凹部にはコンデンサを収納し、下側の下側凹部には、コイルの端が係合されると共に、口出し線と外部電線とを接続する端子を収納することを特徴とするコンデンサ内蔵型電動機。
【請求項６】
端子台は、略垂直に立設されコンデンサと電気的に接続する充電ピンを有し、前記コンデンサは、前記充電ピンが挿入されることにより電気的に接続される受電部を有することを特徴とする請求項１乃至５の何れかに記載のコンデンサ内蔵型電動機。
【発明の詳細な説明】
【０００１】
【発明の属する技術分野】
この発明はリングの形状のコンデンサを内蔵する電動機の改良に関するものである。
【０００２】
【従来の技術】
従来のコンデンサ内蔵型電動機の構成を実開平６−３１３７０号公報に記載された図９によって説明する。図９においてコンデンサ内蔵型モータは、コイル１０１の巻かれた固定子１０２を有し、固定子１０２の内周側には、回転子（図示せず）が設けられ、固定子１０２の一側面上にはコイル１０１に接続されたコンデンサ１０３が固定子１０２と同軸に配設されており、コンデンサ１０３は、中央に回転子孔１０４が形成されたドーナツ盤状の正極導電体１０５と負極導電体１０６と誘電体とを積層して構成されている。
【０００３】
また、一般的には固定子１０２の一側面上に配設されたコンデンサ１０３の上面側には、電源接続用の配線基板が搭載され（図示せず）、この配線基板に各コイル端部、電極部１０７，１０８及び外部電源ラインが接続されており、これら固定子１０２、コンデンサ１０３及び前記配線基板は一体にモールド成形されている。
【０００４】
このように構成されたコンデンサ内蔵型電動機は、コンデンサ１０３が固定子１０２の一側面上に固定子１０２と同軸に配設されているため、コンデンサ１０３が固定子１０２の側方や外周部に張り出すことで電動機の底面積を増大させることがないので、電動機の小形化が容易になる。
【０００５】
【発明が解決しようとする課題】
しかしながら、このように構成されたコンデンサ内蔵型電動機は、コンデンサ１０３の上面側に電源接続用の配線基板が搭載されているので、コンデンサの破損または固定子１０２の不良時にコンデンサ１０３を交換するにはこの配線基板も一緒に交換しなければならず省資源などの面で望ましくないという問題点があった。
さらに、一般的にコンデンサ１０３を積層するには、正極導電体１０５と負極導電体１０６を固定子１０２のコイルの口出し線とをハンダ付けで接続しなければならず、ハンダ付け作業が煩雑であるという問題点があった。
【０００６】
この発明は、このような課題を解決するためになされたもので、コンデンサ
のみの交換が容易で、ハンダ付けが不要なコンデンサ内蔵型電動機を提供するこ
とを目的とするものである。
【０００７】
【課題を解決するための手段】
軸を有する回転子と、回転子が配置される多数の鉄心を積層した固定子と、固定子のスロットに挿入されると共に、巻回されたコイルと、コイルに接続されるコンデンサと、コイルの口出し線と外部電線とを接続する端子と、コイルの天面上に固定された端子台とを有するコンデンサ内蔵型電動機であって、端子台は、コンデンサと、端子、口出し線、外部電線を収納するリング状の凹部を有し、リング状の凹部は、並設される第１の凹部と第２の凹部とを有し、第１の凹部にはコイルの口出し線と外部電線とを接続する端子を有し、第２の凹部にはコンデンサを収納するものである。
【０００８】
また、第１の凹部が第２の凹部よりも内側である。
【０００９】
さらに、リング状のコンデンサからなる。
【００１０】
またさらに、複数の扇型のコンデンサからなる。
【００１１】
軸を有する回転子と、回転子が配置される多数の鉄心を積層した固定子と、固定子のスロットに挿入されると共に、巻回されたコイルと、コイルに接続されるコンデンサと、コイルの口出し線と外部電線とを接続する端子と、コイルの天面上に固定された端子台とを有するコンデンサ内蔵型電動機であって、端子台は、コンデンサと、端子、口出し線、外部電線を収納するリング状の凹部を有し、リング状の凹部は、略Ｈ形状であり、略Ｈ形状の上側の上側凹部にはコンデンサを収納し、下側の下側凹部には、コイルの端が係合されると共に、口出し線と外部電線とを接続する端子を収納するものである。
【００１２】
【００１３】
さらに、端子台は、略垂直に立設されコンデンサと電気的に接続する充電ピンを有し、このコンデンサは、充電ピンが挿入されることにより電気的に接続される受電部を有するものである。
【００１４】
【発明の実施の形態】
実施の形態１．
図１乃至図５はこの発明の実施の形態１を示す図であり、図１は電動機の縦方向断面図、図２は図１に示す電動機の固定子、端子台、コンデンサの部分拡大図、図３は図１における端子台、コンデンサの分解斜視図、図４は充電ピンとコンデンサの充電部を示す拡大斜視図、図５は、図１におけるコンデンサ内蔵型電動機の結線図である。
【００１５】
図１乃至図５において、単相であるコンデンサ内蔵型電動機１は、中央に軸２を有する回転子３と、薄い珪素鋼板が多数積層され、回転子３を通す孔を中央部に有する固定子４と、固定子４のスロット１１に巻回されたコイル５と、コイル５の端部上に載せて固定されると共に、回転子３の軸２を収納する孔２６を有する環状の端子台２０と、端子台２０の天面に固定されると共に、孔１３を有するリング状のコンデンサ６と、回転子３、固定子４、端子台２０、コンデンサ６等を収納する略円筒状の二つのハウジング７，８と、軸２を内輪に固定すると共に、外輪をハウジング７，８の内面に固定された軸受９、１０と、から形成されている。
【００１６】
端子台２０は、９０゜間隔で垂直下方向に設けられた四つの固定片２１の切欠き２７で固定子４のスロット１１に係合される。また、端子台２０は、第１の凹部としての内側凹部２２とこの内側凹部２２に併設された第２の凹部としての外側凹部２３とを備えている。この第１の凹部としての内側凹部２２には、主コイル１５と補助コイル１６から引き出された口出し線１７と外部線１２とを電気的に接続する導電性の端子２４が収納されているとともに、外部線１２が配線されている。また、第２の凹部としての外側凹部２３には、口出し線１７に接続され垂直に立設された円柱状の二つの充電ピン２５と、リング状のコンデンサ６が収納されている。これら内側凹部２２及び外側凹部２３は外部線１２を引き出すための切り欠き２８，２９とを有している。
【００１７】
コンデンサ６は、端子台２０の外側凹部２３に収納されるもので、中央に回転子３の軸２を通す孔１３と、充電ピン２５を受けて電気的に接続される受電部１４を備えている。この受電部１４は丸孔の周りに放射状に略十字状が切欠かれており、充電ピン２５の挿入により、受電部１４と電気的に接続されるように形成されている。
【００１８】
このように構成されたコンデンサ内蔵型電動機１の固定子部は以下のような手順で組立られる。まず既に組み立てられた固定子４のスロット１１に対し端子台２０に設けられた四つの固定片２１の切り欠き２７を係合固定する。次にコイル５の口出し線１７を充電ピン２５、端子２４に電気的に接続し、外部線１２を端子２４に接続するとともに、内側凹部２２に収納し、切り欠き２８，２９を通して端子台２０の外に配線する。続いてコンデンサ６を端子台２０の外側凹部２３に収納するとともに、受電部１４に充電ピン２５を挿入して電気的に接続する。このような作業でコンデンサ６及び端子台２０を備えた固定子が完成する。
【００１９】
このように電源接続用の配線基板に接続されていたコイル口出し線や外部電線を端子台に収納することで、配線基板が不要となり、省資源化や産業廃棄物の削減といったことが可能となる。また、端子台に充電ピン２５を設け、コンデンサ６に受電部１４を設けることで、充電ピン２５を受電部１４に差し込むだけで電気的な接続が可能となるため、ハンダ付け作業が不要となりコンデンサ交換時の作業性が向上する。さらに、端子台上でコンデンサを収納する部分をコイル口出し線や外部電線を収納する部分の外側に並列に設置したため静電容量の大きいコンデンサにも容易に対応できる。
【００２０】
実施の形態２．
図６はこの発明の実施の形態２における電動機の固定子、端子台、コンデンサの断面図である。図６において、このコンデンサ内蔵型電動機の固定子部の特徴的な構成を説明する。
端子台４０は中央に孔４６を有し、固定子４のスロット１１に四つの固定片４１の切り欠きが係合固定されている。また、端子台４０には、第１の凹部としての外側凹部４２と、外側凹部４２と並設された第２の凹部としての内側凹部４３とを備えている。第１の凹部としての外側凹部４２には、口出し線１７と外部線１２とを電気的に接続する導電性の端子４４が収納されるとともに、外部線１２が配線されている。第２の凹部としての内側凹部４３には、口出し線１７に接続され垂直に立設された円柱状の二つの充電ピン４５とリング状のコンデンサ６とが収納され、二つの充電ピン４５がコンデンサ６の受電部１４に電気的に接続されている。
【００２１】
このような構成とすることで、コンデンサ交換時の省資源化や作業性向上に加えて、端子台上でコンデンサを収納する部分とコイル口出し線や外部電線を収納する部分とを並列に設置したため電動機の縦方向の寸法が増加しないという効果がある。
【００２２】
実施の形態３．
図７はこの発明の実施の形態３における電動機の固定子、端子台、コンデンサの断面図である。図７において、このコンデンサ内蔵型電動機の固定子部の特徴的な構成を説明する。
固定台６０は中央に孔６６と、コンデンサ６や口出し線１７などを収納する凹部６７を有し、固定子４のスロット１１に四つの固定片６１が係合固定されている。
この凹部６７は、中央に孔を有する仕切り部６８が設けられており、仕切り部６８を境に凹状の第１の収納部としての上側収納部６３と、第２の収納部としての下側収納部６２とを備えている。この第１の収納部としての上側収納部６３にはコンデンサ６を収納し、第２の収納部としての下側収納部６２には、口出し線１７と外部線１２と電気的に接続される導電性の端子６４を収納する。また、下側収納部６２には上側収納部６３に突き出るよう立設された円柱状の二つの充電ピン６５が設置されており、コンデンサ６の受電部１４に電気的に接続されることによりコンデンサ６を上側収納部６３に収納することを可能にしている。
【００２３】
このような構成とすることで、コンデンサ交換時の省資源化や作業性向上に加えて、凹部に端子、口出し線、外部電線を収納し、仕切り部によって上下に仕切った後、コンデンサを収納するため、交換時や組み立て時の作業がさらに容易となる。
【００２４】
実施の形態４．
図８はこの発明の実施の形態４を示す図であり、図８は電動機の固定子、端子台、コンデンサの断面図である。図８において、このコンデンサ内蔵型電動機の固定子部の特徴的な構成を説明する。
固定台８０は中央に孔８６を有し、固定子４のスロット１１に四つの固定片８１が係合固定されている。固定台８０には、上側に設けられた第３の凹部としての上側凹部８３と下側の第４の凹部としての下側凹部８２が断面視略Ｈ状に設けられている。この上側凹部８３にはコンデンサ６が収納され、下側凹部８２にはコイル５の端が係合されると共に、端子８４、口出し線１７、外部電線１２が収納されており、充電ピン８５がコンデンサ６の受電部１４に電気的に接続されている。
【００２５】
このような構成とすることで、コンデンサ交換時の省資源化や作業性向上に加えて、下側凹部に端子、口出し線、外部電線が収納されているため、端子台をコイルに容易かつ安定して係合固定できる。
【００２６】
なお、実施の形態１〜４において、コンデンサ６は必ずしもリング状である必要はなく、扇形のコンデンサを複数設けて、この扇形コンデンサを直列又は並列接続しても良い。
【００２７】
【発明の効果】
リング状の凹部は、並設される第１の凹部及び第２の凹部を有し、この第１の凹部にはコイルの口出し線と外部電線とを接続する端子を有し、第２の凹部にはコンデンサを収納するので、コンデンサを内蔵することによる電動機の縦方向の寸法増加を防ぐことができる。
【００２８】
また、第１の凹部が第２の凹部よりも内側であるので、コンデンサを収納する側の円周が大きく、コンデンサの静電容量が大きくなっても容易に対応できる。
【００２９】
さらに、リング状のコンデンサからなるので、寿命等によりコンデンサの交換をする際に、端子台はそのままで、コンデンサのみを容易に交換できる。
【００３０】
またさらに、複数の扇型のコンデンサからなるので、寿命等によりコンデンサの交換をする際に、端子台はそのままで、コンデンサのみを容易に交換できる。
【００３１】
リング状の凹部は、略Ｈ形状であり、略Ｈ形状の上側の上側凹部にはコンデンサを収納し、下側の下側凹部には、コイルの端が係合されると共に、口出し線と外部電線とを接続する端子を収納するので、コンデンサと口出し線等を容易に分離できると共に、端子台をコイルに安定して容易に係合固定できる。
【００３２】
【００３３】
【００３４】
さらに、端子台は、略垂直に立設されコンデンサと電気的に接続する充電ピンを有し、このコンデンサは、充電ピンが挿入されることにより電気的に接続される受電部を有するので、コンデンサを端子台から電気的に容易に着脱できる。
【図面の簡単な説明】
【図１】  この発明の実施の形態１を示すコンデンサ内蔵型電動機の縦方向断面図である。
【図２】  この発明の実施の形態１を示す固定子、端子台、コンデンサの部分拡大図である。
【図３】  この発明の実施の形態１を示す端子台、コンデンサの分解斜視図である。
【図４】  この発明の実施の形態１を示す端子台の充電ピンとコンデンサの充電部を示す拡大斜視図である。
【図５】  この発明の実施の形態１を示すコンデンサ内蔵型電動機の結線図である。
【図６】  この発明の実施の形態２を示す固定子、端子台、コンデンサの断面図である。
【図７】  この発明の実施の形態３を示す固定子、端子台、コンデンサの断面図である。
【図８】  この発明の実施の形態４を示す固定子、端子台、コンデンサの断面図である。
【図９】  従来のコンデンサ内蔵型電動機を示す固定子部分の斜視図である。
【符号の説明】
１  コンデンサ内蔵型電動機、  ２  軸、  ３  回転子、  ４  固定子、  ５  コイル、  ６  コンデンサ、  ７，８  ハウジング、  ９，１０  軸受、  １１  スロット、  １２  外部線、  １３  コンデンサの孔、  １４  受電部、  １５  主コイル、  １６  補助コイル、  １７  口出し線、  ２０，４０，６０，８０  端子台、  ２１，４１，６１，８１  固定片、  ２２  内側凹部、  ２３  外側凹部、  ２４，４４，６４，８４  端子、  ２５，４５，６５，８５  充電ピン、  ２６，４６，６６，８６  端子台の孔、  ２７  固定片の切欠き、  ２８  内側凹部の切欠き、  ２９  外側凹部の切欠き、  ４２  外側凹部、  ４３  内側凹部、  ６２  下側収納部、  ６３  上側収納部、  ６７  収納凹部、  ６８  仕切部、  ８２  下側凹部、  ８３  上側凹部
【図１】
0004408327.tif 000002
【図２】
0004408327.tif 000003
【図３】
0004408327.tif 000004
【図４】
0004408327.tif 000005
【図５】
0004408327.tif 000006
【図６】
0004408327.tif 000007
【図７】
0004408327.tif 000008
【図８】
0004408327.tif 000009
【図９】
0004408327.tif 000010